(57)【要約】【課題】外光の影響を排除し、高コントラストの映像を表示することができる透過型のスクリーンを提供する。【解決手段】フレネルレンズ２とレンチキュラーレンズ５の間にプリズムシート３を設置し、プリズムシート３のレンズ部の傾斜面に、一方の面が特定波長領域の光に対して高反射特性を有し、少なくとも特定波長領域を除く可視波長領域の光に対して高吸収特性を有する選択反射面であり、他方の面が可視波長領域の光に対して均一に高反射特性を有する反射面である選択反射膜４を形成する。【選択図】図１
2005266262.tif 000002
【特許請求の範囲】
【請求項１】
投射光を略平行光にして出射するフレネルレンズと、
このフレネルレンズ側にレンズ部を有するレンチキュラーレンズと、
前記フレネルレンズとレンチキュラーレンズの間に設置され、前記フレネルレンズ又はレンチキュラーレンズを介して入射する光のうち、前記投射光に対応する特定波長領域の光を透過し、少なくとも前記特定波長領域を除く可視波長領域の光を吸収するプリズムシートと
を備えたことを特徴とするスクリーン。
【請求項２】
前記プリズムシートは、レンズ部の傾斜面に、一方の面が前記特定波長領域の光に対して高反射特性を有し、少なくとも前記特定波長領域を除く可視波長領域の光に対して高吸収特性を有する選択反射面であり、他方の面が可視波長領域の光に対して略均一に高反射特性を有する反射面である選択反射膜が形成されていることを特徴とする請求項１記載のスクリーン。
【請求項３】
前記選択反射膜は、誘電体膜と透過性を有する光吸収薄膜からなる少なくとも２層以上の光学多層膜と、この光学多層膜の透過光を反射する金属反射膜とを備えてなることを特徴とする請求項２記載のスクリーン。
【請求項４】
前記誘電体膜は少なくとも可視波長領域で透明な材料からなり、前記光吸収薄膜は屈折率１以上で吸収係数０.５以上の材料からなることを特徴とする請求項３記載のスクリーン。
【請求項５】
前記誘電体膜の材料はＮｂ２Ｏ５、ＴｉＯ２、Ｔａ２Ｏ５、Ａｌ２Ｏ３又はＳｉＯ２であり、前記光吸収薄膜の材料はＮｂ、Ｎｂ系合金、Ｃ、Ｃｒ、Ｆｅ、Ｇｅ、Ｎｉ、Ｐｄ、Ｐｔ、Ｒｈ、Ｔｉ、ＴｉＮ、ＴｉＮｘＷｙ、Ｍｎ、Ｒｕ又はＰｂＴｅであることを特徴とする請求項４記載のスクリーン。
【請求項６】
前記選択反射膜は、高屈折率層とこの高屈折率層より屈折率の低い低屈折率層を交互に積層した光学多層膜と、この光学多層膜の透過光を吸収する吸収層と、この吸収層の背面に形成される金属反射膜とを備えてなることを特徴とする請求項２記載のスクリーン。
【請求項７】
前記高屈折率層はＴｉＯ２、Ｎｂ２Ｏ５又はＴａ２Ｏ５からなり、低屈折率層はＳｉＯ２又はＭｇＦ２からなることを特徴とする請求項７記載のスクリーン。
【請求項８】
前記プリズムシートのレンズ部は、シート面に対して垂直な面と４５°の傾斜面を有することを特徴とする請求項１記載のスクリーン。
【請求項９】
前記プリズムシートをレンズ部が対称となるように向かい合わせ又は背中合わせに２枚備えたことを特徴とする請求項１記載のスクリーン。
【請求項１０】
前記レンチキュラーレンズは、レンズ部と反対側のシート面に、前記レンズ部による集光部以外の位置にストライプ状の光吸収層が形成されていることを特徴とする請求項１記載のスクリーン。
【請求項１１】
前記レンチキュラーレンズを透過した前記投射光を散乱させる拡散層を備えたことを特徴とする請求項１記載のスクリーン。
【請求項１２】
前記特定波長領域が赤色光、緑色光及び青色光の各波長領域を含むことを特徴とする請求項１記載のスクリーン。
【発明の詳細な説明】
【技術分野】
【０００１】
本発明は、高コントラストの画像を表示可能な透過型のスクリーンに関する。
【背景技術】
【０００２】
近年、会議等では発表者が資料を提示する手段としてデータプロジェクタが広く用いられ、一般家庭ではビデオプロジェクタや動画フィルムプロジェクタが普及しつつある。これらプロジェクタ装置では、光源から出力された光がライトバルブ（Light Valve）により空間的に変調されて画像光とされ、この画像光がレンズ等の照明光学系を通じて投影用スクリーン上に投影される。
【０００３】
この種のプロジェクタ装置には、カラー画像を表示させることができるものがあり、光源として三原色である赤色（Red＝Ｒ）、緑色（Green＝Ｇ）、青色（Blue＝Ｂ）を含んだ白色光を発するランプが用いられ、ライトバルブとしては透過型の液晶パネルが用いられている。このプロジェクタ装置では、光源から出射された白色光が、照明光学系によって赤色光、緑色光および青色光の各色の光線に分離され、これら光線が所定の光路に収束される。これら光束が液晶パネルにより画像信号に応じて空間的に変調され、変調された光束が光合成部によってカラー画像光として合成され、合成されたカラー画像光が投影レンズにより投影用スクリーンに拡大投射される。
【０００４】
また、最近、カラー画像を表示させることが可能なプロジェクタ装置として、光源に狭帯域三原色光源、例えばＲＧＢ三原色の各色の狭帯域光を発するレーザ発振器を用い、ライトバルブに回折格子型ライトバルブ(ＧＬＶ:Grating Light Valve)を用いた装置が開発されている。このプロジェクタ装置では、レーザ発振器により出射された各色の光束が、画像信号に応じてＧＬＶにより空間的に変調される。このように変調された光束は、前述したプロジェクタ装置と同様にして、光合成部によってカラー画像光として合成され、この合成されたカラー画像光が投影レンズにより投影用スクリーンに拡大投射される。
【０００５】
ところで、プロジェクタ装置に用いられる投影用スクリーンは、その背面側から投影光を照射して前面側から見る透過方式と、前面側から投影光を照射しその反射した光を前面側から見る反射方式とに分けられる。いずれの方式においても、視認性の良好なスクリーンを実現するために、明るくて、かつ、コントラストの高い画像を得ることが望まれている。
【０００６】
従来のリアプロジェクタ装置では、例えば、フレネルレンズとレンチキュラーレンズによって構成されたスクリーンが用いられている。この構成においては、プロジェクタからの投射光はフレネルレンズにより平行光となり、さらにレンチキュラーレンズによって左右に拡散される。これにより、観察者は、透過型スクリーンの透過光として投影画像の観察を行なう。
【０００７】
しかしながら、上述したリアプロジェクタ装置は、一般に明るい部屋で用いられることが多く、この場合、室内照明等の外光がレンチキュラーレンズの表面で反射され、これがスクリーンからの出射映像光と共に観察されることから画像のコントラストが低下してしまう問題点が生じていた。
【０００８】
この対策として、図１１に示すように、フレネルレンズシート９０に対向して設置されるレンチキュラーレンズ１００において、黒レベルを下げるためにレンズ部の非集光部にブラックストライプ１０５を形成したスクリーンが提案されている（例えば、特許文献１参照。）。
【特許文献１】特開２００３−１３１３２５号公報
【発明の開示】
【発明が解決しようとする課題】
【０００９】
しかしながら、上記構成のスクリーンにおいても、ブラックストライプの隙間から入った外光がフレネルレンズ表面で再反射するなどの原因により黒レベルを十分に下げることができず、コントラストの向上に限界があった。
【００１０】
本発明は、上記従来技術の問題に対処してなされたもので、投射光は透過しそれ以外の波長領域光は吸収するシートを設けることで外光の影響を排除し、高コントラストの映像を表示することができる透過型のスクリーンを提供することを目的とする。
【課題を解決するための手段】
【００１１】
すなわち、請求項１の発明のスクリーンは、投射光を略平行光にして出射するフレネルレンズと、このフレネルレンズ側にレンズ部を有するレンチキュラーレンズと、フレネルレンズとレンチキュラーレンズの間に設置され、フレネルレンズ又はレンチキュラーレンズを介して入射する光のうち、投射光に対応する特定波長領域の光を透過し、少なくとも特定波長領域を除く可視波長領域の光を吸収するプリズムシートとを備えたことを特徴とする。
【００１２】
本発明においては、フレネルレンズから出射される平行光の投射光はプリズムシートを透過してレンチキュラーレンズに出射され、投影画像として観察される。一方、レンチキュラーレンズを透過して平行光として入射する外光は、投射光を除く波長領域の光を吸収するプリズムシートによってほとんど吸収される。したがって、フレネルレンズ表面で再反射する外光はほとんどなくなり、外光の影響のない高コントラストの映像を表示することが可能となる。
【００１３】
このような選択透過特性を有するプリズムシートは、レンズ部の傾斜面に、一方の面が特定波長領域の光に対して高反射特性を有し、少なくとも特定波長領域を除く可視波長領域の光に対して高吸収特性を有する選択反射面であり、他方の面が可視波長領域の光に対して均一に高反射特性を有する反射面である選択反射膜を形成することによって得られる。この選択反射膜は、どちらの面が上となってもかまわないが、一つのスクリーンではどちらかに統一される。
【００１４】
このような一方が選択反射面で他方が通常の反射面となる選択反射膜は、例えば、誘電体膜と透過性を有する光吸収薄膜からなる少なくとも２層以上の光学多層膜と、この光学多層膜の透過光を反射する金属反射膜とで構成することができる。誘電体膜は、少なくとも可視波長領域で透明な材料、例えばＮｂ２Ｏ５、ＴｉＯ２、Ｔａ２Ｏ５、Ａｌ２Ｏ３又はＳｉＯ２により蒸着、スパッタリング等のドライプロセスを用いて形成される。光吸収薄膜は、好ましくは５〜２０ｎｍの膜厚を有し、屈折率１以上で吸収係数０.５以上の材料、例えばＮｂ、Ｎｂ系合金、Ｃ、Ｃｒ、Ｆｅ、Ｇｅ、Ｎｉ、Ｐｄ、Ｐｔ、Ｒｈ、Ｔｉ、ＴｉＮ、ＴｉＮｘＷｙ、Ｍｎ、Ｒｕ又はＰｂＴｅにより蒸着、スパッタリング等のドライプロセスを用いて形成される。なお、誘電体膜は、熱硬化性樹脂やＵＶ硬化型樹脂等の溶剤系材料を用いて塗布法等のウエットプロセスにより形成することもできる。金属反射膜は、例えばＡｌ、Ａｇ、Ｎｂ等の金属ないし合金により蒸着、スパッタリング等のドライプロセスを用いて形成される。
【００１５】
また、上記選択反射膜は、高屈折率層とこの高屈折率層より屈折率の低い低屈折率層を交互に積層した光学多層膜と、この光学多層膜の透過光を吸収する吸収層と、この吸収層の背面に形成される金属反射膜とにより構成することもできる。高屈折率層は、例えばＴｉＯ２、Ｎｂ２Ｏ５又はＴａ２Ｏ５により、低屈折率層は、例えばＳｉＯ２又はＭｇＦ２により、それぞれ蒸着、スパッタリング等のドライプロセスを用いて形成される。また、高屈折率層及び低屈折率層は、熱硬化性樹脂やＵＶ硬化型樹脂等の溶剤系材料を用いて塗布法等のウエットプロセスにより形成することもできる。吸収層は、例えば黒色塗料を用いて形成される。また、カーボン膜を蒸着、スパッタリング等のドライプロセスによって形成することもできる。金属反射膜は前述と同様に形成される。
【００１６】
プリズムシートは、シートの片面に、一つ一つのレンズがシート面に対して垂直な面と４５°の傾斜面を有するレンズ部が形成されているものが好ましい。そして、一つのスクリーンにおいて、２枚のプリズムレンズシートをレンズ部が対称となるように向かい合わせ又は背中合わせに配置して用いることもできる。
【００１７】
レンチキュラーレンズのシート面には、好ましくはレンズ部による集光部以外の位置（非集光部）にストライプ状の光吸収層が形成される。これにより、外光がレンチキュラーレンズを透過する割合を低減することができるとともに、集光部から入射した外光はレンチキュラーレンズによって略平行光とされてプリズムシートに入射する。
【００１８】
また、レンチキュラーレンズのレンズ部と反対のシート面側に、拡散層が形成される。これにより、スクリーン水平方向の拡散のみならず垂直方向にも投影光が拡散され、視認性を向上させることができる。
【発明の効果】
【００１９】
本発明によれば、フレネルレンズとレンチキュラーレンズとの間に、投影光を透過し、それ以外の波長領域の光を吸収するよう被膜形成されたプリズムシートを介挿することにより、透過型において外光の影響の非常に少ない高コントラストのスクリーンを実現することができる。
【発明を実施するための最良の形態】
【００２０】
以下、図面に基づいて本発明の実施の形態を説明する。
図１は、本発明の一実施の形態のスクリーンの水平方向断面を示すもので、スクリーン１は、投射光側から、フレネルレンズ２と、プリズムシート３と、プリズムシート３のレンズ部に形成された選択反射膜４と、レンチキュラーレンズ５と、レンチキュラーレンズ５の非集光部に形成されたブラックストライプ６と、拡散板７とで構成されている。
【００２１】
フレネルレンズ２は、プロジェクタからの投射光Ｌpを入射し、略平行光にして出射するもので、投射光Ｌpの出射側に同心円状のレンズ部が形成されている。材料は、例えば、アクリル樹脂、ポリカーボネート樹脂、ポリエステル樹脂、ポリスチレン樹脂、ポリオレフィン樹脂、塩化ビニル樹脂、ポリイミド樹脂等が用いられる。
【００２２】
プリズムシート３は、シートの片面に、その面に対して垂直な面と４５°の傾斜面を有するレンズがその長手方向と直交する方向に配列したレンズ部が形成されている。図１においては、レンズ部はレンチキュラーレンズ５側に形成されているが、フレネルレンズ２側に形成されていてもよい。また、２枚のプリズムシート３が向かい合わせに、あるいは背中合わせに配置されたものであってもよい。材料は、例えば、アクリル樹脂、ポリカーボネート樹脂、ポリエステル樹脂、ポリスチレン樹脂、ポリオレフィン樹脂、塩化ビニル樹脂、ポリイミド樹脂等が用いられる。
【００２３】
選択反射膜４は、特定波長領域の光に対して高反射特性を有し、少なくとも特定波長領域を除く可視波長領域の光に対して高吸収特性を有する選択反射面と、他方の面が可視波長領域の光に対して均一に高反射特性を有する通常の反射面の両面を持ち、プリズムシート３のレンズ部の傾斜面に形成される。その際、どちらの面が上になってもよい。
【００２４】
このように両面の反射特性の異なる選択反射膜４は、図２に示すような金属反射膜４１と、誘電体膜４２Ｄi（ｉ＝１，２，…）及び透過性を有する光吸収薄膜４２Ｍj（ｊ＝１，２，…）からなる光学多層膜４２との積層構成によって得られる。図２においては、選択反射面が上となっている例を示すもので、プリズムシート３のレンズ部の傾斜面上に、Ａｌからなる金属反射膜４１、Ｎｂ２Ｏ５（膜厚５５１ｎｍ）からなる誘電体膜４２Ｄ1、Ｎｂ（膜厚１５ｎｍ）からなる光吸収薄膜４２Ｍ1、Ｎｂ２Ｏ５（膜厚５５１ｎｍ）からなる誘電体膜４２Ｄ2が順次積層されている。この場合、プリズムシート３側から入射する光は、通常の反射面である金属反射膜４１によってほとんど反射される。一方、選択反射膜４の上方から入射する光については、図３にその反射特性を示すように、投射光（プロジェクタ光）に対応するＲＧＢ三原色波長領域の光は反射されるが、その前後の波長領域の光は吸収される。なお、通常の反射面を上にする場合には、これと逆の順序で積層すればよい。
【００２５】
金属反射膜４１としては、Ａｌの他に、Ｎｂ、Ａｇ、Ａｕ、又はそれらの合金等を用いることができるが、光を透過させないために膜厚は５０ｎｍ以上が好ましく、蒸着、スパッタリング等のドライプロセスを用いて形成することができる。
【００２６】
誘電体膜４２Ｄiとしては、Ｎｂ２Ｏ５の他に、ＴｉＯ２、Ｔａ２Ｏ５、Ａｌ２Ｏ３、ＳｉＯ２等の可視波長領域で透明な材料を用いることができる。このような金属酸化物は、蒸着、スパッタリング等のドライプロセスを用いて形成することができる。また、誘電体膜４２Ｄiは、透明樹脂膜でもよく、この場合は、例えば熱硬化性樹脂やＵＶ硬化型樹脂等の溶剤系材料を用いて塗布法等のウエットプロセスにより形成することができる。誘電体膜４２Ｄiの各膜厚は、反射させたいプロジェクタ光の波長領域に合わせて、それぞれの屈折率に応じて設計される。
【００２７】
光吸収薄膜４２Ｍjとしては、屈折率１以上で吸収係数０.５以上の材料、例えばＮｂ、Ｎｂ系合金、Ｃ、Ｃｒ、Ｆｅ、Ｇｅ、Ｎｉ、Ｐｄ、Ｐｔ、Ｒｈ、Ｔｉ、ＴｉＮ、ＴｉＮｘＷｙ、Ｍｎ、Ｒｕ、ＰｂＴｅ等が用いられる。この光吸収薄膜は、透過性を有するよう５〜２０ｎｍ厚さ薄膜に調整される。このため、蒸着、スパッタリング等のドライプロセスを用いて形成することが好ましい。
【００２８】
光学多層膜４２の積層構成は、誘電体膜４２Ｄ1と光吸収薄膜４２Ｍ1を有するものであれば図２の例に限らず、屈折率の異なる誘電体膜４２Ｄiが連続して積層されてもよい。光学多層膜４２の積層構成及び各膜厚は、プロジェクタ光の波長領域に合わせてマトリックス法に基づいたシミュレーションにより設計される。
【００２９】
また、両面の反射特性の異なる選択反射膜４は、図４に示すように、金属反射膜４１の上に吸収層４３を介して、高屈折率層４４Ｈと低屈折率層４４Ｌを交互に積層した光学多層膜４４が形成された構成によっても得られる。光学多層膜４４における積層数は３層以上の奇数層が好ましい。この構成においても、金属反射膜４１側から入射する光は全面的に反射されるが、光学多層膜４４側から入射する光については、図３に示すような反射特性に従って、ＲＧＢ三原色波長領域の光が選択的に反射され、それ以外の波長領域の光が吸収される。
【００３０】
吸収層４３は黒色塗料の塗布により形成されるが、Ｃ等の光吸収材を蒸着、スパッタリング等により形成することもできる。高屈折率層４４Ｈは、ＴｉＯ２、Ｎｂ２Ｏ５、Ｔａ２Ｏ５等が用いられ、低屈折率層４４Ｌは、ＳｉＯ２、ＭｇＦ２等が用いられる。このような高屈折率層４４Ｈ及び低屈折率層４４Ｌは、好適には蒸着、スパッタリング等のドライプロセスによって形成される。また、高屈折率層４４Ｈ及び低屈折率層４４Ｌを、熱硬化性樹脂やＵＶ硬化型樹脂等の溶剤系材料を用いて塗布法等のウエットプロセスにより形成することもできる。例えば、高屈折率層４４Ｈの材料として、熱硬化性樹脂ＪＳＲ製オプスター（ＪＮ７１０２：屈折率１.６８）を、低屈折率層４４Ｌの材料として、熱硬化性樹脂ＪＳＲ製オプスター（ＪＮ７２１５：屈折率１.４１）を用いることができる。
【００３１】
上記光学多層膜４４の積層構成は、プロジェクタ光の三原色波長領域の光を反射し、それ以外の波長領域の光を透過するようマトリックス法に基づいたシミュレーションにより膜厚設計される。
【００３２】
レンチキュラーレンズ５は、プリズムレンズ３側に垂直方向に長いシリンドリカルレンズが水平方向に配列したレンズ部が形成されている。材料は、例えば、アクリル樹脂、ポリカーボネート樹脂、ポリエステル樹脂、ポリスチレン樹脂、ポリオレフィン樹脂、塩化ビニル樹脂、ポリイミド樹脂等が用いられる。レンズ部の反対側のシート面にはレンズによる集光部以外の位置すなわち非集光部に光吸収層であるブラックストライプ５が形成されている。
【００３３】
拡散板６は、ブラックストライプ５に隣接して設置され、レンチキュラーレンズ５のシート面に貼り付けられる。拡散板６としては、ガラス、ポリマー等の透明体で、所望の直径数μｍ〜数ｍｍ程度の大きさの球状のビーズが配置されたものが挙げられる。ビーズの配列の方法は等間隔でなくても構わない。また、市販の凹凸構造の拡散板を用いてもよい。この拡散板６上には、外光の反射を低減するために、好ましくは反射防止膜のコーティングが行われる。この反射防止膜の材料は、高屈折材料、低屈折率材料の積層構造とした場合、例えば、高屈折率材料にＮｂ２Ｏ５、Ｔａ２Ｏ５又はＴｉＯ２を、低屈折率材料にＳｉＯ２又はＭｇＦ２を用いることができる。
【００３４】
次に、上記構成のスクリーンの作用を説明する。
図１に示すように、図示しないプロジェクタから投射された投射光Ｌpは、フレネルレンズ２によって略平行光とされ、プリズムシート３に入射する。ここで、プリズムシート３のレンズ部がレンチキュラーレンズ５側にあって、かつ図５に示すように、選択反射膜４の選択反射面が上となっている場合、プリズムシート３のシート面から入射した投射光Ｌpは、レンズ部傾斜面に形成された選択反射膜４の下面（金属反射膜４１）によってシート面と平行な方向に反射され、隣の選択反射膜４の上面（選択反射面）に当たる。選択反射膜４の選択反射面は投射光Ｌpに合わせて三原色波長領域光を反射するよう設計されているため、ここでも投射光Ｌpはほとんど反射され、レンチキュラーレンズ５の方向に出射される。このようにして、フレネルレンズ２からの投射光Ｌpはプリズムシート３を透過し、レンチキュラーレンズ５及び拡散板７によりスクリーン前方に拡散される。
【００３５】
一方、スクリーン前方から入射する外光Ｌoは、一部はブラックストライプ６により吸収されるが、一部はブラックストライプ６の間を通ってレンチキュラーレンズ５に入射し、レンチキュラーレンズ５によって略平行光とされてプリズムシート３のレンズ部に入射する。図５に示すように、レンズ部傾斜面に選択反射膜４が選択反射面を上にして形成されている場合は、外光Ｌoはここでほとんど吸収される。したがって、プリズムシート３を透過してフレネルレンズ２の表面で反射する外光は極めて少なくなる。
【００３６】
また、図６に示すように、選択反射膜４の選択反射面が下となっている場合、すなわち選択反射膜４が図２や図４と逆の順序で積層されている場合、フレネルレンズ２からの投射光Ｌpは、まず選択反射膜４の選択反射面により反射され、次に通常の反射面により反射されてプリズムシート３を透過する。一方、レンチキュラーレンズ５からの外光Ｌoは、選択反射膜４の通常の反射面（金属反射膜４１）により反射された後、選択反射膜４の選択反射面に入射するため、ここでほとんど吸収される。
【００３７】
また、図７及び図８は、プリズムシート３のレンズ部がフレネルレンズ２側にある場合の投射光Ｌp及び外光Ｌoのそれぞれの進行状態を示すもので、この場合も、選択反射膜４の選択反射面が上であっても、あるいは下であっても、投射光Ｌpは選択反射膜４の上面、ついで下面で反射されてプリズムシート３を透過し、外光Ｌoは選択反射膜４の選択反射面でほとんど反射されることなく吸収される。
【００３８】
また、図９及び図１０に示すように、プリズムシート３を２枚備えた構造としてもよい。図９は２枚のプリズムシート３を背中合わせに用いた例を示し、図１０は２枚のプリズムシート３を向かい合わせに用いた例を示す。いずれの場合も、フレネルレンズ２からの投射光Ｌpは４回の反射を経てレンチキュラーレンズ５側へ出射され、レンチキュラーレンズ５からの外光Ｌoはレンチキュラーレンズ５側の１枚目のプリズムシート３において吸収される。このようにプリズムシート３を２枚備えた構造では、投射光Ｌpの反射回数は多くなるが、１枚のプリズムシート３のみのときのように、入射する投射光と出射する投射光がレンズのピッチ分ずれることはなく、光軸を一致させることができる。
【００３９】
なお、光学多層膜を有する選択反射膜４は入射角が大きくなるにつれて反射波長が短波長側にシフトする傾向があり、上記構成では、選択反射膜４に入射する光の角度は４５°となることから、予め入射角４５°の投射光が有効に反射されるように、反射波長を投射光の波長領域より若干高波長側にずらして光学多層膜の膜厚設計を行うことが好ましい。
【００４０】
上記の説明からも明らかなように、本実施の形態においては、背面から投射される投射光は透過される一方、前面から入射する外光はブラックストライプに吸収されるとともに、一部透過した外光もプリズムシートの傾斜面に形成された選択反射膜によってほとんど吸収されるため、外光の影響のない高コントラストの映像を表示することができる。
【図面の簡単な説明】
【００４１】
【図１】本発明の一実施の形態のスクリーンの構成を示す水平方向断面図である。
【図２】本発明にかかる選択反射膜の積層構成例を示す断面図である。
【図３】図２に示す選択反射膜の上から入射する光に対する反射特性を示す図である。
【図４】本発明にかかる選択反射膜の他の積層構成例を示す断面図である。
【図５】プリズムシートのレンズ部がレンチキュラーレンズ側にあり、選択反射膜の選択反射面が上となっている場合の、投射光と外光の進行を説明する図である。
【図６】プリズムシートのレンズ部がレンチキュラーレンズ側にあり、選択反射膜の選択反射面が下となっている場合の、投射光と外光の進行を説明する図である。
【図７】プリズムシートのレンズ部がフレネルレンズ側にあり、選択反射膜の選択反射面が上となっている場合の、投射光と外光の進行を説明する図である。
【図８】プリズムシートのレンズ部がフレネルレンズ側にあり、選択反射膜の選択反射面が下となっている場合の、投射光と外光の進行を説明する図である。
【図９】２枚のプリズムシートを背中合わせに配置した場合の、投射光と外光の進行を説明する図である。
【図１０】２枚のプリズムシートを向かい合わせに配置した場合の、投射光と外光の進行を説明する図である。
【図１１】従来の透過型スクリーンを例示する断面図である。
【符号の説明】
【００４２】
１…スクリーン、２…フレネルレンズ、３…プリズムシート、４…選択反射膜、５…レンチキュラーレンズ、６…ブラックストライプ、７…拡散板
【図１】
2005266262.tif 000003
【図２】
2005266262.tif 000004
【図３】
2005266262.tif 000005
【図４】
2005266262.tif 000006
【図５】
2005266262.tif 000007
【図６】
2005266262.tif 000008
【図７】
2005266262.tif 000009
【図８】
2005266262.tif 000010
【図９】
2005266262.tif 000011
【図１０】
2005266262.tif 000012
【図１１】
2005266262.tif 000013